(57)【要約】【課題】大型の操作面を有するボタン装置を設けたとしても防水性が低下することのないインターホン機器を提供する。【解決手段】操作部材１２に、本体ケース（前ケース２及び前ボタンケース１４）の表面側へ突出し、正面視が操作面よりも小さな操作突起２１を備える一方、本体ケースの表面に、操作突起２１が挿通可能で、且つ、正面視が操作面よりも小さなボタン用開口（挿通筒２５の先端開口）を開設するとともに、本体ケースの内側に、正面視がボタン用開口よりも大きく、且つ、操作突起２１の先端と一体化された抜け止め板１５を設けている。したがって、たとえ操作面が大きな非常ボタン装置１１を設けたとしても、その操作面よりは小さなボタン用開口しか開設せずとも、操作部材１２を好適に取り付けることができるため、防水性の低下を防止することができる。【選択図】図２
2018166289.tif 000002
【特許請求の範囲】
【請求項１】
本体ケースの表面に、押し込み操作可能なボタン装置が、操作部材の操作面を前記本体ケースの表面よりも外方へ突出させた状態で設けられてなるインターホン機器であって、
前記操作部材に、前記本体ケースの表面側へ突出し、正面視が前記操作面よりも小さな操作突起を備える一方、
前記本体ケースの表面に、前記操作突起が挿通可能で、且つ、正面視が前記操作面よりも小さなボタン用開口を開設するとともに、
前記本体ケースの内側に、正面視が前記ボタン用開口よりも大きく、且つ、前記操作突起の先端と一体化された抜け止め板を設けたことを特徴とするインターホン機器。
【請求項２】
前記抜け止め板と前記ボタン装置のスイッチとの間に、弾性部材を設けており、
前記操作面の押し込み操作に伴う前記操作突起及び前記抜け止め板の押し込み方向への移動により、前記抜け止め板に押圧されて前記弾性部材が変形し、変形した前記弾性部材により前記スイッチが操作されることを特徴とする請求項１に記載のインターホン機器。
【発明の詳細な説明】
【技術分野】
【０００１】
本発明は、たとえば玄関の壁面に設置され、来訪者により呼出操作されるインターホン子機等といったインターホン機器に関するものである。
【背景技術】
【０００２】
従来、たとえばインターホン子機には、呼出ボタンや非常ボタン等といったように操作部材の操作面が本体ケースの表面よりも外方へ突出した位置にあり、必要に応じて使用者が操作面を押し込み操作する種々のボタン装置が設けられている。そして、その操作部材は、本体ケースに開設されたボタン用開口を介し、操作面を本体ケースの内側から外側へ突出させるようにして設けられている（たとえば特許文献１）。
【先行技術文献】
【特許文献】
【０００３】
【特許文献１】特開２００４−２８８４３８号公報
【発明の概要】
【発明が解決しようとする課題】
【０００４】
近年、非常ボタンのように操作面の大型化が望まれているボタン装置もある。そして、操作面を大型化するとなると、上記従来の構造では、本体ケースに開設するボタン用開口をも大きくしなければならない。しかしながら、本体ケースに大きな開口を開設すると、当然ながら防水性が低下するという問題が生じてしまう。
【０００５】
そこで、本発明は、上記問題に鑑みなされたものであって、大型の操作面を有するボタン装置を設けたとしても防水性が低下することのないインターホン機器を提供しようとするものである。
【課題を解決するための手段】
【０００６】
上記目的を達成するために、本発明のうち請求項１に記載の発明は、本体ケースの表面に、押し込み操作可能なボタン装置が、操作部材の操作面を本体ケースの表面よりも外方へ突出させた状態で設けられてなるインターホン機器であって、操作部材に、本体ケースの表面側へ突出し、正面視が操作面よりも小さな操作突起を備える一方、本体ケースの表面に、操作突起が挿通可能で、且つ、正面視が操作面よりも小さなボタン用開口を開設するとともに、本体ケースの内側に、正面視がボタン用開口よりも大きく、且つ、操作突起の先端と一体化された抜け止め板を設けたことを特徴とする。
請求項１に記載の発明によれば、操作部材に、本体ケースの表面側へ突出し、正面視が操作面よりも小さな操作突起を備える一方、本体ケースの表面に、操作突起が挿通可能で、且つ、正面視が操作面よりも小さなボタン用開口を開設するとともに、本体ケースの内側に、正面視がボタン用開口よりも大きく、且つ、操作突起の先端と一体化された抜け止め板を設けている。したがって、たとえ操作面が大きなボタン装置を採用したとしても、その操作面よりは小さなボタン用開口しか開設せずとも、操作部材を好適に取り付けることができるため、防水性の低下を防止することができる。
【０００７】
請求項２に記載の発明は、請求項１に記載の発明において、抜け止め板とボタン装置のスイッチとの間に、弾性部材を設けており、操作面の押し込み操作に伴う操作突起及び抜け止め板の押し込み方向への移動により、抜け止め板に押圧されて弾性部材が変形し、変形した弾性部材によりスイッチが操作されることを特徴とする。
請求項２に記載の発明によれば、抜け止め板とボタン装置のスイッチとの間に、弾性部材を設けた。そして、操作面の押し込み操作に伴う操作突起及び抜け止め板の押し込み方向への移動により、抜け止め板に押圧されて弾性部材が変形し、変形した弾性部材によりスイッチが操作されるようにした。したがって、押し込み操作に伴って確実にスイッチが操作される構造を簡易に実現することができる上、スイッチが破損しにくい。
【発明の効果】
【０００８】
本発明によれば、操作部材に、本体ケースの表面側へ突出し、正面視が操作面よりも小さな操作突起を備える一方、本体ケースの表面に、操作突起が挿通可能で、且つ、正面視が操作面よりも小さなボタン用開口を開設するとともに、本体ケースの内側に、正面視がボタン用開口よりも大きく、且つ、操作突起の先端と一体化された抜け止め板を設けている。したがって、たとえ操作面が大きなボタン装置を採用したとしても、その操作面よりは小さなボタン用開口しか開設せずとも、操作部材を好適に取り付けることができるため、防水性の低下を防止することができる。
【図面の簡単な説明】
【０００９】
【図１】インターホン子機を前面側から示した説明図である。
【図２】非常ボタン装置部分における水平断面を示した説明図である。
【図３】非常ボタン装置部分を分解した状態を示した斜視説明図である。
【発明を実施するための形態】
【００１０】
以下、本発明の一実施形態となるインターホン子機について、図面にもとづき詳細に説明する。
【００１１】
図１は、インターホン子機１を前面側から示した説明図である。図２は、非常ボタン装置１１部分における水平断面を示した説明図である。図３は、非常ボタン装置１１部分を分解した状態を示した斜視説明図である。
【００１２】
インターホン子機１は、前側に配置される前ケース２と、前ケース２の後面側に組み付けられる後ケース（図示せず）とで構成される本体ケースを備えている。この本体ケースの前面上部には、呼び出し操作した来訪者を撮像するためのカメラ部３が設けられており、当該カメラ部３の右側には、来訪者が居住者と通話するためのマイク部４が設けられている。また、カメラ部３の下側には、来訪者が居住者と通話するためのスピーカ部５が設けられ、さらにその下側には、来訪者が居住者を呼び出す際に押し込み操作する呼出ボタン６が設けられている。加えて、本体ケースの前面右下部には、たとえば居住者の帰宅時に非常事態が発生したような場合に押し込み操作する非常ボタン装置１１が、操作部材１２の操作面を本体ケースよりも前側へ突出させた状態で設けられている。そして、このようなインターホン子機１は、住戸の玄関の壁面等に設置されており、来訪者により呼出ボタン６が操作されると、カメラ部３により来訪者を撮像するとともに、住戸内に設置されているインターホン親機（図示せず）を呼び出す。また、非常ボタン装置１１が操作されると、路上に設置されている警報機（図示せず）を作動させる等し、非常事態の発生を周囲に報知する。
【００１３】
ここで、本発明の要部となるインターホン子機１における非常ボタン装置１１の設置構造について説明する。
非常ボタン装置１１は、操作部材１２と、操作部材１２を前方（本体ケースから突出する側）へ付勢するコイルバネ１３と、前ボタンケース１４と、前ボタンケース１４内に収納され、操作部材１２を前方へ抜け止めするための抜け止め板１５と、操作部材１２の作動に応じてスイッチ５０を操作する弾性部材１６と、挟持板１７と、スイッチ５０を有するスイッチ部材１８と、後ボタンケース１９とを備えてなる。なお、２０は、前ボタンケース１４の前面と前ケース２の後面との間に介在されるスペーサである。
【００１４】
操作部材１２は、前面が正面視円形の操作面とされ、当該操作面の直径は従来よりも大径とされている。また、操作面の後面で、その中心となる位置には、後方へ突出する操作突起２１が一体的に設けられている。さらに、操作面の後面で、操作突起２１よりも大径な同心円周上となる位置には、後方へ突出する壁部２２が周設されており、操作突起２１と壁部２２との間の空間が、コイルバネ１３の先端側を収納するバネ収納部２３として機能するようになっている。なお、操作突起２１の先端面から前方へ向かって、操作部材１２と抜け止め板１５とを一体化するためのネジ孔２４が穿設されている。また、操作突起２１の正面視は、操作面の正面視と比べると極めて小径となっている。
【００１５】
前ボタンケース１４は、前面、上下両面、及び左右両面を有し、後面が開口するケース体であって、後述するようにして前ボタンケース１４を前ケース２の内面に固定することにより、本体ケースの前面を構成する一要素となる。この前ボタンケース１４の前面の略中央には、操作突起２１を前ボタンケース１４内まで挿通させるための挿通筒２５が前方へ突設されており、前ボタンケース１４の前ケース２への固定に伴い、当該挿通筒２５の先端開口がボタン用開口として機能するようになっている。また、前ボタンケース１４の前面で、挿通筒２５よりも大径な同心円周上となる位置には、前方へ突出する壁部２６が周設されており、操作筒２５と壁部２６との間の空間は、操作部材１２の壁部２２が嵌まり込み可能で、且つ、コイルバネ１３の基端側を収納するバネ収納部２７として機能するようになっている。さらに、前ボタンケース１４の前面の内面側で、挿通筒２５よりも大径な同心円周上となる位置には、後方へ突出する挟持筒２８が周設されている。なお、２９は、前ボタンケース１４を前ケース２の内面側に固定するための固定部である。
【００１６】
抜け止め板１５は、挟持筒２８内に収納可能で、且つ、挿通筒２５よりは大径となる円板状に成形されており、その中心部には、後側からネジ３１により抜け止め板１５と操作部材１２とを一体化するためのネジ止め部３０が設けられている。
弾性部材１６は、挟持筒２８よりも僅かに大径で、且つ、前ボタンケース１４内に収納可能な正面視円形に成形されたシリコンゴム製の部材であって、その外周縁に沿っては、前方へ立設するリブ３２が設けられている。また、弾性部材１６の中央部分は、前方へ隆起しており、非常ボタン装置１１の設置時には挟持筒２８の後面に当接し、操作部材１２の作動に応じて後側へ撓んでスイッチ５０を操作する作用面３３として機能するようになっている。
【００１７】
挟持板１７は、弾性部材１６と略同径で、前ボタンケース１４内に収納可能な円板であって、その中央には、スイッチ５０を後面側から前方へ突出させるための開口３４が設けられている。
後ボタンケース１９は、前ボタンケース１４の後面開口を塞ぐように組み付けられる部材であって、スイッチ部材１８を固定するスイッチ固定部３５や、前ボタンケース１４のネジ止め部（図示せず）へネジ止めするためのネジ孔３６、３６等を備えている。
一方、前ケース２には、前ボタンケース１４の挿通筒２５及び壁部２６を本体ケースの前面側に突出させた状態で取り付けるための取付用開口７が穿設されている。なお、取付用開口７の径は、壁部２６と略同径とされており、この取付用開口７についても操作面と比べると正面視で小さな開口となっている。
【００１８】
そして、上述したような非常ボタン装置１１の設置について説明すると、まず取付用開口７内を後側から前側へと挿通筒２５及び壁部２６が貫通するように、前ケース２の後面側に前ボタンケース１４をネジ止めして、本体ケースの前面を構成する。次に前ボタンケース１４と操作部材１２との間にコイルバネ１３を介在させつつ、前ケース２の前側から操作突起２１を挿通筒２５内へ差し込み、操作突起２１の先端を前ボタンケース１４の内側まで挿通させた状態とする。そして、当該状態のまま、操作突起２１と抜け止め板１５とをネジ３１によりネジ止めして一体化する。また、作用面３３を前側へ向けた姿勢とした上で、リブ３２を挟持筒２８の外側に位置させ、挟持筒２８を後側から覆うように弾性部材１６を配置する。さらに、弾性部材１６の後面を覆うように挟持板１７を配置した上で、スイッチ部材１８が組み付けられた後ボタンケース１９を、スイッチ５０と挟持板１７の開口３４との位置をあわせつつ、前ボタンケース１４の後面開口を塞ぐようにネジ止めすれば、非常ボタン装置１１の設置は完了となる。なお、インターホン子機１を組み立てるにあたっては、前後のボタンケース１４、１５を覆うように、前ケース２の後面に後ケースを組み付ければよい。
【００１９】
上述したような設置することで、操作部材１２は、本体ケースの前面側において、その操作面を前方へ突出させた状態で、且つ、抜け止め板１５により前方への抜け止めがなされた状態で、押し込み操作可能に取り付けられることになる。また、抜け止め板１５の後側には、弾性部材１６が、その外周際を挟持筒２８と挟持板１７とにより前後から挟持されることになる。さらに、弾性部材１６の作用面３３が抜け止め板１５の後面に当接している一方、作用面３３の後側に、スイッチ５０が開口３４を介して挟持板１７よりも前側へ突出した状態となる。したがって、操作面を押し込み操作すると、操作部材１２が押し込み方向（後方）へ移動し、操作部材１２と共に押し込み方向へ移動する抜け止め板１５により、弾性部材１６の作用面３３が押圧されて後方へ撓むように変形する。そして、変形した作用面３３の後面がスイッチ５０に接触し、最終的にスイッチ５０が操作されることになる。なお、押し込み操作が解除されると、操作部材１２及び抜け止め板１５は、コイルバネ１３の付勢力によって押し込み操作前の位置へ復帰し、弾性部材１６は自身の弾性力によって変形前の状態へと復帰する。
【００２０】
以上のような非常ボタン装置１１を備えたインターホン子機１によれば、操作部材１２に、操作面の後面側から後方へ突出し、正面視が操作面よりも小さな操作突起２１を備える。一方、取付用開口７内を後側から前側へと挿通筒２５及び壁部２６が貫通するように、前ケース２の後面側に前ボタンケース１４をネジ止めして本体ケースの前面を構成することにより、本体ケースの前面に、操作突起２１が挿通可能で、且つ、正面視が操作面よりも小さなボタン用開口（挿通筒２５の先端開口）を開設する。さらに、本体ケースの内側（前ケース２の内面側）に、正面視がボタン用開口よりも大きく、且つ、操作突起２１の先端と一体化された抜け止め板１５を設けている。したがって、操作面が大きな非常ボタン装置１１を設けたとしても、その操作部材１２の操作面よりは小さなボタン用開口しか開設せずとも、操作部材１２を好適に取り付けることができるため、防水性の低下を防止することができる。
【００２１】
また、抜け止め板１５と非常ボタン装置１１のスイッチ５０との間に、弾性部材１６を設けている。そして、操作部材１２の操作面の押し込み操作に伴う操作突起２１及び抜け止め板１５の押し込み方向への移動により、抜け止め板１５に押圧されて弾性部材１６が変形し、変形した弾性部材１６によりスイッチ５０が操作されるようにした。したがって、押し込み操作に伴って確実にスイッチ５０が操作される構造を簡易に実現することができる上、スイッチ５０が破損しにくい。
【００２２】
さらに、本体ケースの前面が、前ケース２と、当該前ケース２に固定され、後面が開口している前ボタンケース１４とから構成されているとともに、前ボタンケース１４の内面側に後方へ突出する挟持筒２８が設けられ、当該挟持筒２８内に抜け止め板１５が設けられ、正面視が挟持筒２８と略同径な円板状に成形された弾性部材１６が、その挟持筒２８の後側を覆うように配置されており、さらに前ボタンケース１４の後面開口を塞ぐように後ボタンケース１９を組み付けることによって、上記弾性部材１６が、挟持筒２８と後ボタンケース１９の前面側に配置される挟持板１７とで前後から挟持されるようにした。したがって、弾性部材１６の取り付けについても簡易な構造で実現することができる。
【００２３】
なお、本発明に係るインターホン機器は、上記実施形態の態様に何ら限定されるものではなく、インターホン機器の全体的な構成は勿論、ボタン装置の構成や操作部材の取り付けに係る構成についても、本発明の趣旨を逸脱しない範囲で、必要に応じて適宜変更することができる。
【００２４】
たとえば上記実施形態では、本体ケースの前面に操作部材が露出するようにボタン装置を設けているが、本体ケースの側面や上面、下面等に設けられるボタン装置についても、本発明を好適に採用することができる。
また、上記実施形態では、前ケースに前ボタンケースを固定して本体ケースの表面を構成し、前ボタンケースに設けられた挿通筒の先端開口をボタン用開口としているが、前ケースのみから本体ケースの表面が構成されるようにしてもよい（すなわち、前ケースに直接ボタン用開口を開設してもよい）し、反対に前ケース及び前ボタンケースに加え、前ケースの表面を一部覆うように組み付けられる化粧パネルをもあわせて本体ケースの表面が構成されるようにしてもよい。
【００２５】
さらに、上記実施形態ではボタン装置を非常ボタン装置としているが、呼出ボタン装置等の他のボタン装置についても本発明を好適に採用することができる。
加えて、上記実施形態ではインターホン子機について説明しているが、たとえば居室内に設置されるインターホン親機等の他のインターホン機器であってもよい。
【符号の説明】
【００２６】
１・・インターホン子機（インターホン機器）、２・・前ケース（本体ケース）、７・・取付用開口、１１・・非常ボタン装置（ボタン装置）、１２・・操作部材、１３・・コイルバネ、１４・・前ボタンケース（本体ケース）、１５・・抜け止め板、１６・・弾性部材、１７・・挟持板、１８・・スイッチ部材、１９・・後ボタンケース、２１・・操作突起、２５・・挿通筒（ボタン用開口）、２８・・挟持筒、３３・・作用面、５０・・スイッチ。
【図１】
2018166289.tif 000003
【図２】
2018166289.tif 000004
【図３】
2018166289.tif 000005